(57)【要約】【課題】  カメラが撮影に必要なＡＦ補助光等の照明装置の小型化と高い照明効率を実現した照明装置及びそれを用いた撮影装置を提供する。【解決手段】  光源手段と、前記光源手段からの光束を被写体方向に照射する為の光学部材と反射部材を有し、前記光源手段は先端がドーム形状で端子部がドームの反対側に位置しており、照射光軸に垂直に配置された照明装置において、前記光源手段の光源中心を通る少なくとも一つの断面において、光軸中心からの射出光束のうち、前記第一入射面による屈折後、または、前記第二入射面で屈折し全反射面で全反射後の少なくとも一方を、光軸に対して略平行になるように規制した。【選択図】  図４
2006171291.tif 000002
【特許請求の範囲】
【請求項１】
光源手段と、前記光源手段からの光束を被写体方向に照射する為の光学部材と反射部材を有し、
前記光源手段は先端がドーム形状で端子部がドームの反対側に位置しており、
照射光軸に垂直に配置された照明装置において、
前記光源手段の光源中心を通る少なくとも一つの断面において、光軸中心からの射出光束のうち、前記第一入射面による屈折後、または、前記第二入射面で屈折し全反射面で全反射後の少なくとも一方を、光軸に対して略平行になるように規制したことを特徴とする照明装置。
【請求項２】
前記光源手段の直径をφ、前記第一の入射面との最小距離をｄ、前記第二の入射面との最小距離をｅとすると、
φ／１０≦ｄ≦φ／２
φ／１０≦ｅ≦φ／２
の関係が成立するような形状で構成したことを特徴とする請求項１記載の照明装置。
【請求項３】
前記第一の反射面が、射出光軸に対する傾きが２°以下の平面により構成されていることを特徴とする請求項１から２に記載の照明装置。
【請求項４】
前記光源手段から射出光軸近傍に射出した光束が前記第１の入射面に入射する光束のうち、該射出光軸とのなす角度の最大値をθｂｄｒとすると、
２５°≦θｂｄｒ≦４５°
の関係が成立するような形状で構成したことを特徴とする請求項１から３記載の照明装置。
【請求項５】
前記反射部材は前記光源手段の中心を軸に半円筒状に形成されていることを特徴とする請求項１から４の照明装置。
【請求項６】
前記反射部材は光源中心からの射出光束のうち、少なくとも一つの断面において、光軸に対して略平行になるように反射するような部分を形成したことを特徴とする請求項５の照明装置。
【請求項７】
前記反射部材は前記光源手段の中心を軸に半球状に形成されていることを特徴とする請求項１から４の照明装置。
【請求項８】
前記光源手段を発光制御させる電気基板を有し、
前記電気基板は前記反射部材の一部を挿入するための孔部が設けられていることを特徴とする請求項１から４の照明装置。
【請求項９】
前記光源手段は発光ランプであることを特徴とする請求項１から８の撮影装置。
【請求項１０】
請求項１から９のいずれか１項記載の照明装置を有することを特徴とする撮影装置。
【発明の詳細な説明】
【技術分野】
【０００１】
本発明は、カメラの照明装置、より詳しくは、発光源から放射される光を有効に投光するカメラの照明装置に関する。
【背景技術】
【０００２】
従来、カメラの照明装置、例えばオートフォーカス（ＡＦ）の補助光の照射などに用いられる照明装置は、発光源を有する発光ランプと、この発光ランプを保持するケーシングと、上記発光ランプの発光源から放射される光を反射する反射鏡とを有して構成されている。
【０００３】
また、所謂懐中電灯タイプの照明装置は奥行きが長くなるので、発光ランプを光軸に対して垂直に置くタイプもある。
【０００４】
このような照明装置のうち、光源から様々な方向に射出した光束を、小型で効率よく必要照射画角内に集光させるようにした照明装置が、従来より種々の提案されている。
【０００５】
特に、近年、光源の前側（被写体側）に配置されていたフレネルレンズのかわりに、例えば、特許文献１に開示されているように、プリズム・ライトガイド等の全反射を利用した光学部材を配置することによって、集光効率の向上、小型化を図ったものが提案されている。
【０００６】
また、特許文献２に、光源として発光ランプを用いた照明装置において、光源部材の端子部が光軸上後方に位置しているものが提案されている。
【特許文献１】特開平０２−１３５６０５号公報
【特許文献２】特開平１１−１７４５３４号公報
【発明の開示】
【発明が解決しようとする課題】
【０００７】
しかしながら、この種の照明装置においては、光源として発光ランプを用いたものが多く、特許文献２の後方に見られるように、光源部材の端子部が光軸上後方に位置している。したがって、奥行き方向が大きくなってしまっていた。
【０００８】
また、上記した発光ランプを光軸に対して垂直に置くタイプにおいては、反射鏡を円筒状にするものしかなく、効率よく光を照射できていなかった。
【０００９】
また、円筒状の反射鏡の固定方法と発光ランプの位置調整については述べられていなかった。
【課題を解決するための手段】
【００１０】
そこで本発明は、前記目的を達成するために本願における請求項１記載の発明によれば、光源手段と、前記光源手段からの光束を被写体方向に照射する為の光学部材と反射部材を有し、前記光源手段は先端がドーム形状で端子部がドームの反対側に位置しており、照射光軸に垂直に配置された照明装置において、前記光源手段の光源中心を通る少なくとも一つの断面において、光軸中心からの射出光束のうち、前記第一入射面による屈折後、または、前記第二入射面で屈折し全反射面で全反射後の少なくとも一方を、光軸に対して略平行になるように規制したことを特徴とする。
【００１１】
また、前記目的を達成するために本願における請求項２記載の発明によれば、請求項１記載の照明装置において、前記光源手段の直径をφ、前記第一の入射面との最小距離をｄ、前記第二の入射面との最小距離をｅとすると、
φ／１０≦ｄ≦φ／２
φ／１０≦ｅ≦φ／２
の関係が成立するような形状で構成したことを特徴とする。
【００１２】
また、前記目的を達成するために本願における請求項３記載の発明によれば、請求項１から２記載の照明装置において、前記第一の反射面が、射出光軸に対する傾きが２°以下の平面により構成されていることを特徴とする。
【００１３】
また、前記目的を達成するために本願における請求項３記載の発明によれば、請求項１から３記載の照明装置において、前記光源手段から射出光軸近傍に射出した光束が前記第１の入射面に入射する光束のうち、該射出光軸とのなす角度の最大値をθｂｄｒとすると、
２５°≦θｂｄｒ≦４５°
の関係が成立するような形状で構成したことを特徴とする。
【００１４】
また、前記目的を達成するために本願における請求項５記載の発明によれば、請求項１から４記載の照明装置において、前記反射部材は前記光源手段の中心を軸に半円筒状に形成されていることを特徴とする。
【００１５】
また、前記目的を達成するために本願における請求項６記載の発明によれば、請求項５記載の照明装置において、前記反射部材は光源中心からの射出光束のうち、少なくとも一つの断面において、光軸に対して略平行になるように反射するような部分を形成したことを特徴とする。
【００１６】
また、前記目的を達成するために本願における請求項７記載の発明によれば、請求項１から４記載の照明装置において、前記反射部材は前記光源手段の中心を軸に半球状に形成されていることを特徴とする。
【００１７】
また、前記目的を達成するために本願における請求項８記載の発明によれば、請求項１から４記載の照明装置において、前記光源手段を発光制御させる電気基板を有し、前記電気基板は前記反射部材の一部を挿入するための孔部が設けられていることを特徴とする。
【００１８】
また、前記目的を達成するために本願における請求項９記載の発明によれば、請求項１から９記載の照明装置において、前記光源手段は発光ランプであることを特徴とする。
【００１９】
また、前記目的を達成するために本願における請求項１０記載の発明によれば、請求項１０記載の撮影装置において、請求項１から９のいずれか１項記載の照明装置を有すること。
【００２０】
以上のように、本発明によれば、照明装置の光学部材と反射鏡の各面を最適設計することで、カメラが撮影に必要な照明装置の奥行き方向を短くしつつ、効率よく光を照射することが可能となる。したがって、その照明装置を使用したカメラも小型化させることが可能となる。
【００２１】
また、発光ランプと反射鏡を同一の電気基板上に固定するようにしたので精度よくユニット化することが可能となる。
【発明の効果】
【００２２】
以上説明したように、本発明によれば、照明装置の光学部材と反射鏡の各面を最適設計することで、カメラが撮影に必要な照明装置の奥行き方向を短くしつつ、効率よく光を照射することが可能となった。したがって、その照明装置を使用したカメラも小型化させることが可能となった。
【００２３】
また、発光ランプと反射鏡を同一の電気基板上に固定するようにしたので精度よくユニット化することが可能となった。
【発明を実施するための最良の形態】
【００２４】
図１から図５において本発明の第１の実施形態の照明装置の説明を行う。
【００２５】
図１は本発明の照明装置をカメラ（撮像装置）の上辺部に設けたときの実施形態の要部概略図である。
【００２６】
図２は本実施形態の照明装置を前方から見た斜視図である。また、図３は本実施形態の照明装置を後方から見た斜視図である。
【００２７】
図１において、１はカメラ本体、２はレンズ鏡筒部であり、不図示の撮影レンズを保持している。３はファインダである。４はオートフォーカス（ＡＦ）の補助光の照射などに用いられる照明装置であり、カメラ本体１の上部に設けている。照明装置４は光源手段としての照明を発する先端部がドーム形状の発光ランプ５と、該発光ランプ５からの放射光束のうち前方以外の、例えば後方（被写体側と反対方向）に放射される光束を被写体側へ集光反射するために内面反射を利用した反射鏡６と、発光ランプ４から直接入射した光束及び反射鏡６で反射して入射した光束を所定形状の光束として集光し、被写体側へ効率良く照射する照明光束導光用の光学部材（光学プリズム）７を有している。
【００２８】
反射鏡６は内面が高反射率を有する光輝アルミ等の金属材料で形成されている。また、光学部材７は、光学ガラスやアクリル樹脂等の透過率の高い光学材料で構成されている。
【００２９】
発光ランプ５は光軸に対して垂直に配置している。また、光学部材７は光軸を中心に回転対称形状をしており、入射面側に発光ランプ５のための切り欠き部が存在する。光学部材７の射出面側は平面となっている。
【００３０】
図４は照明装置４の光学系のｘｚ断面図である。また、図５は照明装置４の光学系のｙｚ断面図である。図４、５において、発光ランプ５内にあるフィラメントと発光ランプ５からでている端子部は省略してある。各図には光線トレースを付加して示してある。
【００３１】
まず、図４おいて、発光ランプ５はガラスの内外径が示されている。発光ランプ５の不図示のフィラメントはある大きさを持っているが、設計段階では、この発光ランプ（光源）５から射出される光を効率よく制御させるためには、理想的に光源中心Ｏに点光源があることを仮定し、光学系の形状を設計し、その後に、光源が有限の大きさを持っていること考慮した補正を行うと効率よく設計することが可能となる。
【００３２】
本発明もこの考え方に基づき、発光ランプ５の発光部中心を形状決定の基準値と考え、以下のような光学部材７と反射鏡６の各部の形状を設定している。
【００３３】
まず、光学部材７の材料としては、成形性の面、コストの面からアクリル樹脂等の光学樹脂材料を用いることが最適である。しかし、この種の照明装置においては、光源から光の発生と同時に多量の熱が発生される。この熱の影響を考慮して、光学材料の選定及び放熱空間の設定を行う必要がある。
【００３４】
このとき、実際に最も熱の影響を受けやすいのは、光源から最も近く位置する光学部材７の第１の入射面７ａと第２の入射面７ｂ、７ｂ’であり、光源とこの各入射面との最少距離をまず最初に決める必要がある。本実施形態では、光源中心Ｏからの射出角度が射出光軸ＡＸＬに近い角度成分を直接屈折によって制御する入射面７ａと光源との最少距離をｄ、射出光軸ＡＸＬから離れた角度成分で全反射によって制御される光を入射させる第２の入射面７ｂと光源との最少距離をｅとしてその間隔を規制する。
【００３５】
ここで、各入射面と光源との距離が大きすぎると、光学系全体が大型化するので、発光ランプ５のドームの直径をφとすると、最少距離をｄ、ｅは、
φ／１０≦ｄ≦φ／２
φ／１０≦ｅ≦φ／２                  ……（１）
の範囲にあることが望ましい。
【００３６】
次に、第１の入射面７ａの入射面形状の決定方法について説明する。光源中心Ｏからの射出光束のうち入射面７ａに直接入射する成分は、すべて図示の断面でみた場合に射出光軸に対して平行になるように変換している。すなわち、入射面７ａは、発光ランプ５のガラス厚を考慮した光源中心Ｏから入射面７ａまでの長さの焦点距離をもち、球面収差を補正した非球面レンズ面で構成されている。
【００３７】
次に、光学部材７の全反射面７ｃ、７ｃ’に入射光を導く第２の入射面７ｂ、７ｂ’の形状を決定する。この第２の入射面７ｂ、７ｂ’の形状として、光学部材７の形状を最小にするためには、光軸と平行な平面であることが望ましい。すなわち、発光ランプ５から射出した光束のうち、射出光軸とは異なった方向に進む成分は、この入射面で一度屈折するが、この面の角度が小さいほど屈折の効果が大きく、屈折によって入射光が一度光軸から離れる方向に導くことができ、光学部材２の全長を短く抑えることができるためである。
【００３８】
この第２の入射面２ｂ，２ｂ’の傾きは、光学部材２の成形条件によって決定される。この角度が少ないほど実際の成形条件としては厳しくなるが、この面７ｂ、７ｂ’の光軸との角度の最大値φの理想形状としては、この入射面７ｂ、７ｂ’が平面か曲面かに関わらず以下の範囲に存在することが望ましい。
【００３９】
０≦φ＜２°                          ……（２）
上記範囲は、一見難しそうな設定値だが、上記第２の入射面７ｂ、７ｂ’の距離が短いこと、また、面形状が平滑面であることから、十分可能な数値である。
【００４０】
また、全反射面７ｃ、７ｃ’の形状は、光源中心Ｏからの射出光束のうち入射面７ｂ、７ｂ’入射する成分は、全反射面で反射後すべて図示の断面でみた場合に射出光軸に対して平行になるように変換している。
【００４１】
このようにして、発光ランプ５の光源中心Ｏから前方に発せられた光束は、すべて平行光に変換される。
【００４２】
一方、発光ランプ５の射出光のうち、射出光軸後方に向かった光束は、反射鏡６の形状が、発光ランプ５に対して同心形状であるため、反射鏡６で反射した後、再度発光ランプ５に入射し発光ランプ５のほぼ光源中心Ｏを通り射出光軸の前方に導かれる。この光源の中心に戻ってから以降の光線の様子は上記説明と同様である。
【００４３】
上記説明のように、光源中心Ｏから射出された光束は、光学部材７の入射面７ａの屈折によって、または、入射面７ｂ、７ｂ’で屈折し全反射面７ｃ、７ｃ’で反射後、すべて図示の断面に関しては、射出光軸と平行な成分に変換され、射出面７ｄに導かれる。
【００４４】
そして、発光ランプ５の内径が十分に小さい場合や、発光ランプ５に対して、光学部材７が十分に大きいとみなせる場合には、上記方法で、かなり効率よく集光制御が可能となる。しかし、実際の配光特性でみると、光源の有効発光部である内径の大きさは無視できるほどには小さくなく、この影響で光学部材２を通過した光束がすべて射出光軸と平行な成分に変換されず、上下方向にある一定の範囲に広がりを持った分布に変換される。
【００４５】
特に、光源の近くにある制御面、例えば、光源からの射出光束を直接制御する入射面７ａや、全反射面７ｃ、７ｃ’でも光源に近いプリズム後端部での反射光束は、この影響が大きく、実際には、この範囲で制御された成分によってある程度広がりを持った配光分布になる。
【００４６】
次に、上記入射面７ａの境界面の位置について説明する。上述したように、上記入射面７ａの樹脂材料に対する熱の影響を考慮した上で効率良く、また最小の光学系を形成するための条件としては、第１の入射面７ａと第２の入射面７ｂ、７ｂ’の交点の座標と光源中心Ｏを結ぶ直線の角度θｂｄｒがある一定の範囲内にあることが望ましい。
【００４７】
すなわち、この角度が所定角度より小さいと第１の入射面７ａへの距離が離れ、光源の大きさによる影響を受けにくくなるため屈折による集光効率は上がるが、第２の入射面７ｂ、７ｂ’への入射角度が大きくなり入射面での表面反射によるロスが生じやすくなる。
【００４８】
一方、この角度が所定角度より大きいと光源に近い面で制御が必要な第１入射面７ａからの入射光束が増え、光源の大きさによっては、十分な集光効果が得られにくい。
【００４９】
すなわち、上記光学部材７の正面に向かった光を屈折のみによって制御する入射面７ａと主に光源から斜め前方に射出した光を全反射面に導く入射面７ｂ、７ｂ’との境界線と、光源中心Ｏとを結ぶ線分の傾きθｂｄｒとすると、
２５°≦θｂｄｒ≦４５°              ……（３）
の範囲にあることが、効率面や集光制御の観点から望ましい。
【００５０】
次に、図５から分かるように、光学部材７は光軸ＡＸＬを中心とした回転対称形状となっている。ここで、光学部材７は発光ランプ５は光軸に対して垂直に配置するために、円筒状に切り欠いてある。
【００５１】
上述のような方法によって光学部材７の形状を規定することにより、与えられた光源の発熱条件を考慮した、最小のしかも最も効率の良い集光光学系を形成することができる。
【００５２】
次に、本発明の第２の実施形態の照明装置を図６、７を用いて説明する。
【００５３】
図６は照明装置４の光学系のｘｚ断面図である。また、図７は照明装置４の光学系のｙｚ断面図である。図６、７において、発光ランプ内にあるフィラメントと発光ランプからでている端子部は省略してある。各図には光線トレースを付加して示してある。
【００５４】
図６において、８は発光ランプ、９は反射鏡、１０は光学部材（光学プリズム）である。
【００５５】
まず、光源中心Ｏからの射出光束のうち入射面１０ａに直接入射する成分は、すべて図示の断面でみた場合に射出光軸に対して平行になるように変換している。すなわち、入射面１０ａは、発光ランプ８のガラス厚を考慮した光源中心Ｏから入射面１０ａまでの長さの焦点距離をもち、球面収差を補正した非球面レンズ面で構成されている。
【００５６】
次に、光学部材１０の全反射面１０ｃ、１０ｃ’に入射光を導く第２の入射面１０ｂ、１０ｂ’の形状として、光学部材７の形状を最小にするためには、光軸と平行な平面であることが望ましい。すなわち、発光ランプ８から射出した光束のうち、射出光軸とは異なった方向に進む成分は、この入射面で一度屈折するが、この面の角度が小さいほど屈折の効果が大きく、屈折によって入射光が一度光軸から離れる方向に導くことができ、光学部材２の全長を短く抑えることができるためである。
【００５７】
また、全反射面１０ｃ、１０ｃ’の形状は、光源中心Ｏからの射出光束のうち入射面１０ｂ、１０ｂ’入射する成分は、全反射面で反射後すべて図示の断面でみた場合に射出光軸に対して平行になるように変換している。
【００５８】
このようにして、発光ランプ８の光源中心Ｏから前方に発せられた光束は、すべて平行光に変換される。
【００５９】
次に、図７に示すように、反射鏡９は発光ランプ８のドーム側を覆うような反射部９ａを設けてある。反射部９ａは、光源から前方に照射される光束のうち、光軸に対して大きな角度成分を光軸に平行化する形状をしている。
【００６０】
したがって、反射部９ａで反射された光束は、光学部材１０の入射面１０ｄ、１０ｄ’より入射し、光軸に平行な光束のまま照射される。
【００６１】
また、図７に示すように、反射鏡９は発光ランプ８のドーム部に同心形状をした反射部９ｂを設けてある。したがって、光源から後方に照射される光束のうち発光ランプ８のドーム部から発せられた光束が、反射部９ｂで反射した後ほぼ光源中心Ｏを通り射出光軸の前方に導かれる。この光源の中心に戻ってから以降の光線の様子は上記説明と同様である。
【００６２】
以上のことより、本発明の第２の実施形態の照明装置は、より効率の良い集光光学系を形成することができる。
【００６３】
次に、本発明の第３の実施形態の照明装置を図８、９を用いて説明する。
【００６４】
図８は照明装置４の光学系のｘｚ断面図である。また、図９は照明装置４の光学系のｙｚ断面図である。図８、９において、発光ランプ内にあるフィラメントと発光ランプからでている端子部は省略してある。各図には光線トレースを付加して示してある。
【００６５】
図８において、１１は発光ランプ、１２は反射鏡、１３は光学部材（光学プリズム）である。
【００６６】
まず、光源中心Ｏからの射出光束のうち入射面１３ａに直接入射する成分は、すべて図示の断面でみた場合に射出光軸に対して平行になるように変換している。すなわち、入射面１３ａは、発光ランプ１１のガラス厚を考慮した光源中心Ｏから入射面１３ａまでの長さの焦点距離をもち、球面収差を補正した非球面レンズ面で構成されている。
【００６７】
次に、光学部材１３の全反射面１３ｃ、１３ｃ’に入射光を導く第２の入射面１３ｂ、１３ｂ’の形状として、光学部材１３の形状を最小にするためには、光軸と平行な平面であることが望ましい。すなわち、発光ランプ１１から射出した光束のうち、射出光軸とは異なった方向に進む成分は、この入射面で一度屈折するが、この面の角度が小さいほど屈折の効果が大きく、屈折によって入射光が一度光軸から離れる方向に導くことができ、光学部材２の全長を短く抑えることができるためである。
【００６８】
また、全反射面１３ｃ、１３ｃ’の形状は、光源中心Ｏからの射出光束のうち入射面１３ｂ、１３ｂ’入射する成分は、全反射面で反射後すべて図示の断面でみた場合に射出光軸に対して平行になるように変換している。
【００６９】
このようにして、発光ランプ１１の光源中心Ｏから前方に発せられた光束は、すべて平行光に変換される。
【００７０】
次に図９に示すように、反射鏡１２は発光ランプ１１の光源の中心に同心上の球面状の反射部１２ａを設けてある。したがって、光源から前方に照射される光束が、反射部１２ａで反射した後ほぼ光源中心Ｏを通り射出光軸の前方に導かれる。この光源の中心に戻ってから以降の光線の様子は上記説明と同様である。
【００７１】
以上のことより、本発明の第３の実施形態の照明装置は、より効率の良い集光光学系を形成することができる。
【００７２】
次に、本発明の第４の実施形態の照明装置を図１０、１１を用いて説明する。図１０、１１は本発明の第４の実施形態の照明装置を後方から見た分解斜視図である。図１０の反射鏡は第１の実施形態のものである。図１１の反射鏡は第３の実施形態のものである。図１０と図１１は反射鏡のみが異なる。
【００７３】
図１０において、１４は発光ランプの発光状態を制御する電気基板であり、抵抗やコンデンサ等の電気部品は省略してある。光学系は本発明の第１の実施形態の照明装置と同一であり、５は発光ランプ、６は反射鏡、７は光学部材（光学プリズム）である。
【００７４】
ここで、電気基板１４は発光ランプ５の端子部が入る孔部１４ａがあり、はんだ等によって電気的に結合する。また、電気基板１４には、上記反射鏡６が挿入されるアーチ状の開口部ｉがあり、反射鏡６はその開口部に圧入される。
【００７５】
図１１は図１０と同じ構成であり、１５は発光ランプの発光状態を制御する電気基板であり、１１は発光ランプ、１２は反射鏡、１３は光学部材（光学プリズム）である。また、電気基板１５には、上記反射鏡１２が挿入されるアーチ状の開口部１５ａがあり、反射鏡１２はその開口部に圧入される。
【００７６】
そして、それぞれ上記発光ランプはフィラメントの位置調整した後、はんだ等により電気基板に固定される。
【００７７】
したがって、本実施形態によると発光ランプと反射鏡は同一の電気基板上に固定されるので、精度よい位置関係にすることができる。よって、上記本発明の実施形態の説明で述べたような効率の良い集光光学系を精度よくユニット化することができる。
【００７８】
ここで、上記光源を点光源と仮定すると上記形状に一致させることが望ましいが、実際には光源は発光ランプのフィラメントにあたるような有限の大きさを持っているため、ここまで厳密に形状を規制しなくてもほぼ同等の配光特性が得ることができる。
【００７９】
たとえば、上記形状を近似した単一もしくは複数の平面または円筒面、さらには楕円等の２次曲面を用いても、上記形状で得られる配光特性とほぼ同等の効果が得られる形状が存在する。
【００８０】
このため、本発明における上記光学部材の入射面や反射面及び反射鏡の形状は、上記の形状に限定するわけではなく、光学部材及び反射鏡の各面の形状を近似的に満たすような形状を含めて規定するものとする。
【００８１】
また、このような近似形状で光学部材及び反射鏡を形成することによって、実際加工されたものが設計値通りできているかの測定が、面形状が非球面である場合に比べて極めて容易にできる、という利点がある。
【００８２】
また、上記照明光学系は、光源中心Ｏから発せられた光束をすべて光軸に平行化しているが、カメラの赤目緩和用の照明等に用いる場合等、より広い範囲に照射したいときには光軸に対してある程度角度を持った光束に変換しても構わない。
【図面の簡単な説明】
【００８３】
【図１】本発明を搭載したカメラの要部概略図。
【図２】本発明の第１の実施形態の照明装置の前方から見た斜視図。
【図３】本発明の第１の実施形態の照明装置の後方から見た斜視図。
【図４】本発明の第１の実施形態の照明装置のｘｚ断面図。
【図５】本発明の第１の実施形態の照明装置のｙｚ断面図。
【図６】本発明の第２の実施形態の照明装置のｘｚ断面図。
【図７】本発明の第２の実施形態の照明装置のｙｚ断面図。
【図８】本発明の第３の実施形態の照明装置のｘｚ断面図。
【図９】本発明の第３の実施形態の照明装置のｙｚ断面図。
【図１０】本発明の第４の実施形態の照明装置の後方から見た分解斜視図。
【図１１】本発明の第４の実施形態の照明装置の後方から見た分解斜視図。
【符号の説明】
【００８４】
１  カメラ本体
２  レンズ鏡筒部
３  ファインダ
４  照明装置
５  光源手段
６  反射鏡
７  光学部材
８  光源手段
９  反射鏡
１０  光学部材
１１  光源手段
１２  反射鏡
１３  光学部材
１４  電気基板
１５  電気基板
【図１】
2006171291.tif 000003
【図２】
2006171291.tif 000004
【図３】
2006171291.tif 000005
【図４】
2006171291.tif 000006
【図５】
2006171291.tif 000007
【図６】
2006171291.tif 000008
【図７】
2006171291.tif 000009
【図８】
2006171291.tif 000010
【図９】
2006171291.tif 000011
【図１０】
2006171291.tif 000012
【図１１】
2006171291.tif 000013